【手続補正書】
【提出日】平成17年6月13日(2005.6.13)
【手続補正１】
【補正対象書類名】特許請求の範囲
【補正対象項目名】全文
【補正方法】変更
【補正の内容】
【特許請求の範囲】
【請求項１】
通信システムであって、
複数の制御コードに従って通信チャネルを介してデータの通信を行うための物理層ハードウェアを有し、前記物理層ハードウェアユニットは、アナログの着信信号を復調してデジタル受信信号を生成し、かつ、デジタルの伝送信号を変調してアナログの伝送信号を生成するためのものであり、
前記物理層ハードウェアとのインタフェースとなる特権ドライバを実行するための処理ユニットを有し、前記特権ドライバは、デジタルの受信信号の復号化、デジタルの伝送信号の符号化、及び複数の制御コードに基づいてデジタル受信信号の受信及びデジタル伝送信号の伝送を行うための物理層ハードウェアのコンフィギュレーションを行うためのプロトコル層を実装するためのプログラムを有するものであり、
特権コードを記録するためのメモリを有し、前記特権コードは、前記処理ユニットにより実行されると、前記物理層ハードウェアのコンフィギュレーションを規定するための特権命令を実行するための権限を呼び出しプログラムが有するか否かを判定し、権限を有すると判定されると、その判定に応答して、前記処理ユニットが前記特権命令を実行する、システム。
【請求項２】
前記特権プログラムを実行するためのリクエストが呼び出しプログラムから受信され、前記特権コードが前記処理ユニットにより実行されると、前記特権コードは、前記物理層ハードウェアのコンフィギュレーションを規定するための命令を特権命令として定義する、請求項１記載のシステム。
【請求項３】
前記特権コードは、実行された場合、前記呼び出しプログラムが前記特権ドライバを有するか否かを判定するものである、請求項２記載のシステム。
【請求項４】
第１のレジスタと第２のレジスタとを有し、前記特権コードは、実行された場合、前記特権命令が格納されるコンピュータシステムのメモリ領域を形成するように前記第１のレジスタと前記第２のレジスタとに書込みを行う、請求項２記載のシステム。
【請求項５】
前記特権コードは、実行された場合、前記呼び出しプログラムが前記特権命令を実行する権限を有するか否かを、コンピュータシステムのスタックを参照することで判定して前記呼び出しプログラムの確認を行うためのものである、請求項２記載のシステム。
【請求項６】
前記特権コードは、実行された場合、前記呼び出しプログラムの認証を行うことで、前記呼び出しプログラムが前記特権命令を実行する権限を有するか否かを判定するためのものである、請求項２記載のシステム。
【請求項７】
前記特権コードは、実行された場合、前記特権コード命令を実行しようとする呼び出しプログラムに応答して、前記処理ユニットにより生成された例外を受信することで前記特権命令を実行するためのリクエストを受信するためのものである、請求項２記載のシステム。
【請求項８】
前記制御コードは、電力レベル割り当て、周波数割り当て、及びタイムスロット割り当てのうち少なくとも一つを含む、請求項１記載のシステム。
【請求項９】
前記処理ユニットは、マイクロプロセッサを含む、請求項１記載のシステム。
【請求項１０】
前記特権コードを実行するためのプロセッサ複合体と、
前記プロセッサ複合体に結合されたバスと、
前記バスに結合され、物理層ハードウェアを含んだ拡張カードと、を含む、請求項１記載のシステム。
【請求項１１】
通信システムであって、
複数の制御コードに従って通信チャネルを介してデータの通信を行うための物理層ハードウェアを有し、前記物理層ハードウェアユニットは、アナログの着信信号を復調してデジタル受信信号を生成し、かつ、デジタルの伝送信号を変調してアナログの伝送信号を生成するためのものであり、
前記物理層ハードウェアとのインタフェースとなる特権ドライバを実行するための処理ユニットを有し、前記特権ドライバは、デジタルの受信信号の復号化、デジタルの伝送信号の符号化、及び複数の制御コードに基づいてデジタル受信信号の受信及びデジタル伝送信号の伝送を行うための物理層ハードウェアのコンフィギュレーションを行うためのプロトコル層を実装するためのプログラムを有するものであり、
特権コードを記録するためのメモリを有し、前記特権コードは、前記物理層ハードウェアのコンフィギュレーションを規定するための命令を特権命令として定義するための処理ユニットが前記特権プログラムを実行するためのリクエストを呼び出しプログラムから受信すると、前記呼び出しプログラムが前記特権命令を実行するための権限を有するか否かを判定し、権限を有すると判定されると、その判定に応じて前記特権命令を実行する、システム。
【請求項１２】
トランシーバのコンフィギュレーションを行う方法であって、
着信アナログ信号を復調して複数の制御コードに基づいてデジタル受信信号を生成し、
デジタル伝送信号を変調して前記制御コードに基づいてアナログ伝送信号を生成し、
特権ドライバを実行して複数の制御コードのコンフィギュレーションを実行し、
前記複数の制御コードのコンフィギュレーションのための特権命令を実行する権限を呼び出しプログラムが有するか否かを判定し、
前記呼び出しプログラムに前記特権命令を実行する権限があると判定されたことに応答して前記特権命令を実行する、方法。
【請求項１３】
前記制御コードのコンフィギュレーションのための命令を特権命令として規定し、
呼び出しプログラムから前記特権命令を実行するためのリクエストを受信する、請求項１２記載の方法。
【請求項１４】
前記呼び出しプログラムが前記特権命令を実行する権限を有するかの判定では、前記呼び出しプログラムが前記特権ドライバーを有するかの判定がなされる、請求項１３記載の方法。
【請求項１５】
前記呼び出しプログラムが前記特権命令を実行する権限を有するかの判定では、前記呼び出しプログラムの確認を行うためにコンピュータシステムのスタックの参照が更に行われる、請求項１３記載の方法。
【請求項１６】
前記呼び出しプログラムが前記特権命令を実行する権限を有するか否かの判定では、前記呼び出しプログラムの認証が更に行われる、請求項１３記載の方法。
【請求項１７】
前記特権命令を実行するための前記リクエストの受信では、前記特権命令を実行しようとする呼び出しプログラムに応答して例外の受信が行われる、請求項１３記載の方法。
【請求項１８】
前記着信アナログ信号の復調では、周波数割り当てとタイムスロット割り当てとの少なくとも一方に基づいて、前記着信アナログ信号の復調がなされる、請求項１２記載の方法。
【請求項１９】
前記デジタル伝送信号の変調では、電力レベル割り当て、周波数割り当て、及びタイムスロット割り当てのうち少なくとも一つに基づいてデジタル伝送信号の変調がなされる、請求項１２記載の方法。
【請求項２０】
トランシーバのコンフィギュレーションを行う方法であって、
着信アナログ信号を復調して複数の制御コードに基づいてデジタル受信信号を生成し、
デジタル伝送信号を変調して前記制御コードに基づいてアナログ伝送信号を生成し、
特権ドライバを実行して複数の制御コードのコンフィギュレーションを実行し、
前記制御コードのコンフィギュレーションのための命令を特権命令として規定し、
呼び出しプログラムから前記特権命令を実行するためのリクエストを受信し、
前記特権命令を実行する権限を前記呼び出しプログラムが有するか否かを判定し、
前記呼び出しプログラムに前記特権命令を実行する権限があると判定されたことに応答して前記特権命令を実行する、方法。
【請求項２１】
通信システムであって、
着信アナログ信号を復調して複数の制御コードに基づいてデジタル受信信号を生成する手段と、
デジタル伝送信号を変調して前記制御コードに基づいてアナログ伝送信号を生成する手段と、
特権ドライバを実行して複数の制御コードのコンフィギュレーションを実行する手段と、
前記複数の制御コードのコンフィギュレーションのための前記特権命令を実行する権限を前記呼び出しプログラムが有するか否かを判定し、
前記呼び出しプログラムに前記特権命令を実行する権限があると判定されたことに応答して前記特権命令を実行する、システム。
【請求項２２】
前記制御コードのコンフィギュレーションのための命令を特権命令として規定する手段と、
呼び出しプログラムから前記特権命令を実行するためのリクエストを受信する手段と、を有する請求項２１記載のシステム。